(57)【要約】【課題】瓦屋根の瓦の凹凸、段差を覆板で修正した瓦屋根の構造において、該覆板と、該覆板と瓦との間に形成されている空間を有効に利用した瓦屋根の構造を提供する。【解決手段】瓦の上方に、該瓦自体の表面凹凸、または／および隣接する瓦間に形成される段差を修正する覆体を設け、該覆体または該覆体の下部空間に太陽熱集熱体や光電素子等のソーラー体を設け、あるいは覆板の少なくとも一部を保水性材料で形成すると共に、該覆板を形成する保水性材料で形成されている部分が、芝生等の植物を植生する植生体を形成した構成からなる。【選択図】図２
2007247398.tif 000002
【特許請求の範囲】
【請求項１】
瓦を葺いた瓦屋根において、該瓦の上方に、該瓦自体の表面凹凸、または／および隣接する瓦間に形成される段差を修正する覆体を設け、該覆体または該覆体の下部空間に太陽熱集熱体や光電素子等のソーラー体を設けてなることを特徴とする瓦屋根の構造。
【請求項２】
前記覆体が、透明板等の透明体からなる請求項１に記載の瓦屋根の構造。
【請求項３】
瓦を葺いた瓦屋根において、該瓦の上方に、該瓦自体の表面凹凸、または／および隣接する瓦間に形成される段差を修正する覆体を設け、該覆板の少なくとも一部を保水性材料で形成すると共に、該覆板を形成する保水性材料で形成されている部分が、芝生等の植物を植生する植生体を形成してなることを特徴とする瓦屋根の構造。
【請求項４】
前記植生体の下方に、該植生体に水分を供給するための水タンクを設けてなる請求項３に記載の瓦屋根の構造。
【請求項５】
前記瓦が、一条若しくは複数条の山部と谷部を備え、該山部に覆体を係止する覆瓦係止用突起部を設けている請求項１〜４のいずれかの項に記載の瓦屋根の構造。
【請求項６】
前記覆体の周縁部に緩衝部材を設けてなる請求項１〜５のいずれかの項に記載の瓦屋根の構造。
【発明の詳細な説明】
【技術分野】
【０００１】
本発明は、各種建築物・構築物における屋根の構造に係り、より詳細には、通常の屋根瓦を用いて、該瓦を葺いた状態で、該瓦の重合部や凹凸を平面状・平坦状に修正した瓦屋根の構造に関する。
【背景技術】
【０００２】
屋根瓦は、長さ方向の前方に頭部、後方に尻部、中央に谷部（洋瓦においては、谷部と山部）を有し、幅方向の右方に差込み、左方に桟を有し、該頭部の差込み側および尻部の桟側にそれぞれ切込みを備えた構成となっている。従って、該瓦を葺いた状態の屋根の構造は、波打った形状となっている。また、この形状により屋根・建築物の美しさが表現され、和瓦、洋瓦等でこの形状が色々異なっている。
【０００３】
しかし、該瓦屋根の場合、瓦の表面が波状に形成されているため、その瓦屋根上を人が歩きにくいという問題がある。従って、瓦屋根の上を有効に利用することが難しく、例えば、この瓦屋根上を利用するには、瓦上に物干し台を作る等の手法をとる必要がある。しかし、該瓦の上に、該物干し台を作る場合、瓦屋根を構成する瓦の特定の個所にその加重が集中して、割れやすくなり、ひいては雨漏りの原因を起こす等の問題がある。
【０００４】
そこで、本発明者は、このような問題に鑑み、先に、『瓦を葺いた状態において、棟側に位置する瓦の頭部と軒側に位置する瓦の尻部との重合部を少なくとも上面より覆い、該棟側に位置する瓦の頭部先端と該軒側に位置する瓦の谷部表面とが形成する段差を修正する覆瓦を配設した瓦屋根の構造』（特許文献１参照）を提案している。そして、この瓦屋根は、雨漏れが少なく、かつ水捌けがよく、必要に応じて屋根面を平面状・平坦状等に形成できることから、コンクリート製の建築物等における屋上と同じように、屋根上を有効に利用できるという利点を有する。
【０００５】
【特許文献１】特開平１−１８７２４４号公報
【発明の開示】
【発明が解決しようとする課題】
【０００６】
しかし、この瓦屋根の構造は、コンクリート製の建築物等における屋上と同じように、屋根上を有効に利用するということを主眼としたものであるため、十分な利用が図られていない。すなわち、この瓦屋根の構造においては、先に葺いている瓦と、この瓦を覆う覆瓦（覆板）との間に形成されている空間、および覆瓦（覆板）自体が十分に利用されていないと言える。
本発明は、このような課題に対処して創作したものであって、その目的とする処は、瓦屋根の瓦の凹凸、段差を覆板で修正した瓦屋根の構造において、該覆板と、該覆板と瓦との間に形成されている空間を有効に利用した瓦屋根の構造を提供することにある。
【課題を解決するための手段】
【０００７】
そして、上記課題を解決するための手段としての本発明の第１の発明の瓦屋根の構造は、瓦の上方に、該瓦自体の表面凹凸、または／および隣接する瓦間に形成される段差を修正する覆体を設け、該覆体または該覆体の下部空間に太陽熱集熱体や光電素子等のソーラー体を設けてなることを特徴とする。
本発明の瓦屋根の構造は、前記発明において、前記覆体が、透明板等の透明体からなることを特徴とする。
また、本発明の第２の発明の瓦屋根の構造は、瓦の上方に、該瓦自体の表面凹凸、または／および隣接する瓦間に形成される段差を修正する覆体を設け、該覆板の少なくとも一部を保水性材料で形成すると共に、該覆板を形成する保水性材料で形成されている部分が、芝生等の植物を植生する植生体を形成してなることを特徴とする。
本発明の瓦屋根の構造は、前記発明において、前記植生体の下方に、該植生体に水分を供給するための水タンクを設けてなることを特徴とする。
更に、本発明の瓦屋根の構造は、前記各発明において、前記瓦が、一条若しくは複数条の山部と谷部を備え、該山部に覆体を係止する覆体係止用突起部を設けていることを特徴とする。また前記覆体の周縁部に緩衝部材を設けてなることを特徴とする。
【０００８】
ここで、前記瓦は、桟瓦、波状瓦、その他の各種の瓦を含み、また和瓦、洋瓦のいずれでもよい。また、該瓦としては、その強度性の観点から、セメント瓦（コンクリート瓦）が好ましいが粘土瓦でもよい。前記覆板は、板状のものが好ましい。然し、瓦の表面の凹凸や段差に適応する形態（例えば、断面、逆台形、逆三角形等）でもよい。また透明体としては、ガラス、ポリカーボネート、その他に、アクリル板等の軽量材料を用いることができる。そして、好ましくは、耐火性を備えたものがよい。また、前記ソーラー体とは、太陽熱集熱体や光電素子等の太陽のエネルギー（熱エネルギー、光エネルギー、紫外線等の各種のエネルギー）を利用することができる器具、装置、素子をいう。前記保水性材料としては、高分子ポリマー、軽石等を用いることができる。前記緩衝部材としては、天然あるいは合成ゴム、その他、緩衝性を備えた材料を用いることができる。
【０００９】
本発明の瓦屋根の構造は、屋根に瓦を葺いた状態において、その上面に覆体を葺くことにより、該覆体で瓦自体の表面凹凸や、隣接する瓦間の重ね合わせ部分の段差部分が覆われ、瓦屋根を平坦状、平面状にすることができ、流水は、瓦と覆体とが形成する空間をも流れる。
そして、覆体または該覆体の下部空間に太陽熱集熱体や光電素子等のソーラー体を設けてなるものにあっては、覆体または該覆体の下部空間を太陽熱、太陽光を有効に利用することができる。また、覆板の少なくとも一部を保水性材料で形成すると共に、該覆板を形成する保水性材料で形成されている部分が、芝生等の植物を植生する植生体を形成してなるものにあっては、瓦屋根の表面を植物栽培用の個所として有効活用できる。
【発明の効果】
【００１０】
以上の記載より明らかなように、本発明の第１の基本的な発明の瓦屋根の構造によれば、前記覆体または該覆体の下部空間に太陽熱集熱体や光電素子等のソーラー体を設けてなるので、従来の太陽光発電システムや、太陽熱利用システムのように、屋根の上に配置した構成とならないので、すなわち、屋根内部に組み込まれた構成としているので、瓦屋根の外観構造が綺麗に施工できる。また、瓦を傷つけることがないので、雨漏れのおそれがなく、しかも覆板の交換、あるいは覆板を外して、前記内部空間に施工できるので、後付け施工が簡単に行えるという効果を有する。また、前記覆体が、透明板等の透明体からなる場合、前記太陽光や太陽熱を良好に吸収等できるという効果を有する。
本発明の第２の基本的な発明の瓦屋根の構造によれば、覆板の少なくとも一部を保水性材料で形成すると共に、該覆板を形成する保水性材料で形成されている部分が、芝生等の植物を植生する植生体を形成してなるので、覆板を交換することで、簡単に屋根上に、植物栽培するための用地を確保することができるという効果を有する。また、前記植生体の下方に、該植生体に水分を供給するための水タンクを設けてなる場合は、いっそう良好な植物栽培するための用地を得ることができる。
また、前記瓦が、一条若しくは複数条の山部と谷部を備え、該山部に覆体を係止する覆体係止用突起部を設けている場合は、覆板を正確に取り付けることができると共に、平坦状、あるいは平面状屋根を容易に得ることができる。また前記覆体の周縁部に緩衝部材を設けてなる場合、覆板がずれたりして、瓦に不必要な荷重がかかるのを防止できる。
【発明を実施するための最良の形態】
【００１１】
以下、図面を参照しながら、本発明を具体化した好ましい実施の形態について説明する。ここに、図１〜図６は、本発明の実施形態を示し、図１は瓦屋根の斜視図、図２は平面図、図３は瓦の斜視図、図４は覆板の斜視図、図５はソーラー体として利用した場合の断面図、図６は植生体として利用した場合の断面図である。
【００１２】
−実施形態１−
本実施形態の瓦屋根の構造は、図１〜図５に示すように、ソーラー体として利用した場合の実施形態で、瓦１として、二条の谷部２と二条の山部３を備えたセメント瓦（コンクリート瓦）を葺いた瓦屋根について、具体化した実施形態である。建築物において、その屋根の野路板上に、瓦１，１・・を葺くことで、瓦葺き屋根を得ることができる。そして、該瓦葺き屋根は、その表面が、複数枚の瓦１・・の表面形状である凹凸（谷部２と山部３）模様を有する。この凹部を形成する谷部２を山部３の頂点の高さに揃えるための覆体４を葺くことで、瓦屋根の全表面を平坦状にできる。
【００１３】
ここで、瓦１としては、本発明者が先に提案している特公平７−９９０４２号公報に示している緩勾配瓦を用いている。この瓦１は、瓦頭部５の先端に下方向に向かって直線もしくは逆アール状に傾斜する傾斜部６を備えた水垂れ部７を備えいる。この瓦の場合、傾斜部のエジェクタ効果によって、流水を積極的に下側に位置する瓦に送り出しているため、瓦を緩勾配に葺くことができる。そして、本実施形態においては、この瓦１の山部２に、図３に示すように、覆体係止用突起部８を設けている。
【００１４】
覆体４は、野路板上に瓦１，１・・・を葺いた状態において、棟側に位置する瓦１ａと、軒側に位置する１ｂとの重なり合う段差部９を上面より覆うとともに、瓦１ａ，１ｂのそれぞれの凹凸（山部３と谷部２との段差）を平面状に修正するためのものであって、図４に示すように、表面が平面形状で、底面が瓦１の一条の谷部２を覆う板部１０を有し、かつ平面視が、板部１０の瓦頭部方向・尻部方向に突出する突出部１１、１１を有し、また左右方向に突出する突出部１２，１２を有している。また覆瓦４の長さは、野路板に葺いている瓦１の長さと略同一長さで、一枚の瓦１を二枚の覆瓦４でもって覆う構成としている。そして、瓦谷部２と覆体４との間に空間１４が形成してある。
【００１５】
ここで、覆板４は、透明体からなり、図５に示すように、その下方に光電素子からなるソーラー体１３が設けてある。該透明体は、ガラス瓦（板）、ポリカーボネート板、アクリル板等の強度を有し、耐火性を備えたもので形成している。またソーラー体１３は、太陽熱集熱体や光電素子等の太陽のエネルギー（熱エネルギー、光エネルギー、紫外線等の各種のエネルギー）を利用することができる器具、装置、素子等からなる。そして、ソーラー体１３の接続部は、図示していないが、通常、瓦屋根の棟に沿って配置している。
【００１６】
そして、野地板に葺いた瓦１，１・・・の谷部２を覆うようにして覆瓦４を葺き、瓦１ａ、１ｂが形成する段差９を修正すると共に、覆瓦４の左右端部の突出部１２，１２は、隣接する覆瓦４の左右端部の突出部１２，１２と、突出部１１は、隣接する上下方向の覆瓦４の突出部１１とそれぞれ平面状に接合状態となっていて、瓦１，１・・・の山部２の上に設けている覆体係止用突起部８の上面が表出している。また、覆瓦４の下方には、ソーラー体１３を配設するようにしている。
【００１７】
このように、本実施形態の瓦屋根の構造は、瓦１と覆体４との間に形成される空間１４にソーラー体１３を配置するので、ソーラー体１３の設置・施工が簡単に行え、また後付け施工も容易にできる。また、瓦屋根の上面が平坦状のまま維持できるので、瓦屋根の外観形態を損なうことがない。また、雨水の流水は、瓦屋根の上と、空間１４を通じて流下するので、瓦屋根の上面に流水が溜まったりするのを防止できる。また、ソーラー体１３が空間１４に組み込まれているので、このソーラー体１３は、風等による影響がないことから、従来の施工のものと異なり、このソーラー体１３が倒れる危険性がなく、瓦屋根が損傷するおそれも解消できる。なお、ソーラー体１３は、覆板４の内部に一体的に組み込まれた構成としてもよい。この場合は、いっそう施工性が良好になる。
【００１８】
−実施形態２−
本実施形態は、前述した実施形態１の場合、ソーラー体を設けた構成からなるのに対して、本実施形態は、図６に示すように、覆板４を植生体とした構成からなる。すなわち、覆板４の少なくとも一部が保水性材料で形成されていて、覆板４を形成する保水性材料で形成されている部分が、芝生等の植物を植生する植生体２０を形成する構成としている。そして、この植生体２０の下方に、植生体２０に水分を供給するための水タンク２１を設け、植生体２０と水タンク２１は、布等による毛細管減少を利用した水吸い上げ体２２で繋げている。そして、覆体４の表面である、植生体２０には芝生等の植物を植生できる。ここで、前記保水性材料としては、高分子ポリマー、軽石等を用いている。
このように、本実施形態の瓦屋根の構造では、瓦屋根上を植物成育のための畑地として有効活用することができる。なお、覆板４の周縁には、覆板４を正確に、かつガタ付かないように葺くために、緩衝部材が配してある。緩衝部材としては、ゴムその他の合成樹脂製弾性材が用いてある。この点については、前述した実施形態１においても同様に、緩衝部材を用いることが好ましい。
【００１９】
なお、本発明は前述した実施形態に限定されるものでなく、種々、変形実施できるものを含む。因に、前述した実施形態においては、覆板と下側に葺いた瓦とにより、その屋根表面を全体として平面・平坦状にした構成で説明したが、この構成に限られるものでなく、覆板を、下側に葺いた瓦と瓦の重ね合せ部上にのみ配置した構成等としたり、あるいは、全体としてエンボス状等とした構成等してもよいことは明らかである。また、瓦、あるいは覆体自体に手すり等を配設できるようにした構成のものを使用するようにしてもよい。
【００２０】
ところで、瓦１、あるいは覆板４に手摺りやポール、その他の構造体２５を配設する構成としては、図７に示すように、瓦（覆板）の一部の肉厚を厚くすると共に、この肉厚部分に孔２６を設ける一方、瓦１を葺くための野地板や垂木等の支持体２７から、構造体２５を貫通・立設する構成が好ましい。なお、孔２６と構造体２５との間には、雨漏れ防止のため、コーキング２８を配することが肝要である。
【図面の簡単な説明】
【００２１】
【図１】本発明の実施形態を示す瓦屋根の斜視図である。
【図２】平面図である。
【図３】瓦の斜視図である。
【図４】覆板の斜視図である。
【図５】ソーラー体として利用した場合の断面図である。
【図６】植生体として利用した場合の断面図である。
【図７】手摺りを取り付ける場合の説明図である。
【符号の説明】
【００２２】
１・・・瓦、２・・・谷部、３・・・山部、４・・・覆体、５・・・瓦頭部、６・・・傾斜部、７・・・水垂れ部、８・・・覆体係止用突起部、９・・・段差部、１０・・・板部、１１・・・瓦頭部方向・尻部方向に突出する突出部、１２・・・左右方向に突出する突出部、１３・・・ソーラー体、１４・・・空間、２０・・・植生体、２１・・・水タンク、２２・・・水吸い上げ体、２５・・・手摺り等の構造体、２６・・・孔、２７・・・支持体、２８・・・コーキング
【図１】
2007247398.tif 000003
【図２】
2007247398.tif 000004
【図３】
2007247398.tif 000005
【図４】
2007247398.tif 000006
【図５】
2007247398.tif 000007
【図６】
2007247398.tif 000008
【図７】
2007247398.tif 000009
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
瓦を葺いた瓦屋根において、該瓦の上方に、該瓦自体の表面凹凸、または／および隣接する瓦間に形成される段差を修正する覆体を設け、該覆体の少なくとも一部を保水性材料で形成すると共に、該覆体を形成する該保水性材料で形成されている部分が、芝生等の植物を植生する植生体を形成してなることを特徴とする瓦屋根の構造。
【請求項２】
前記植生体の下方に、該植生体に水分を供給するための水タンクを設けてなる請求項１に記載の瓦屋根の構造。
【請求項３】
前記瓦が、一条若しくは複数条の山部と谷部を備え、該山部に前記覆体を係止する覆体係止用突起部を設けている請求項１及び２のいずれかの項に記載の瓦屋根の構造。
【請求項４】
前記覆体の周縁部に緩衝部材を設けてなる請求項１〜３のいずれかの項に記載の瓦屋根の構造。
【手続補正２】
【補正対象書類名】明細書
【補正対象項目名】全文
【補正方法】変更
【補正の内容】
【発明の詳細な説明】
【技術分野】
【０００１】
本発明は、各種建築物・構築物における屋根の構造に係り、より詳細には、通常の屋根瓦を用いて、該瓦を葺いた状態で、該瓦の重合部や凹凸を平面状・平坦状に修正した瓦屋根の構造に関する。
【背景技術】
【０００２】
屋根瓦は、長さ方向の前方に頭部、後方に尻部、中央に谷部（洋瓦においては、谷部と山部）を有し、幅方向の右方に差込み、左方に桟を有し、該頭部の差込み側および尻部の桟側にそれぞれ切込みを備えた構成となっている。従って、該瓦を葺いた状態の屋根の構造は、波打った形状となっている。また、この形状により屋根・建築物の美しさが表現され、和瓦、洋瓦等でこの形状が色々異なっている。
【０００３】
しかし、該瓦屋根の場合、瓦の表面が波状に形成されているため、その瓦屋根上を人が歩きにくいという問題がある。従って、瓦屋根の上を有効に利用することが難しく、例えば、この瓦屋根上を利用するには、瓦上に物干し台を作る等の手法をとる必要がある。しかし、該瓦の上に、該物干し台を作る場合、瓦屋根を構成する瓦の特定の個所にその加重が集中して、割れやすくなり、ひいては雨漏りの原因を起こす等の問題がある。
【０００４】
そこで、本発明者は、このような問題に鑑み、先に、『瓦を葺いた状態において、棟側に位置する瓦の頭部と軒側に位置する瓦の尻部との重合部を少なくとも上面より覆い、該棟側に位置する瓦の頭部先端と該軒側に位置する瓦の谷部表面とが形成する段差を修正する覆瓦を配設した瓦屋根の構造』（特許文献１参照）を提案している。そして、この瓦屋根は、雨漏れが少なく、かつ水捌けがよく、必要に応じて屋根面を平面状・平坦状等に形成できることから、コンクリート製の建築物等における屋上と同じように、屋根上を有効に利用できるという利点を有する。
【０００５】
【特許文献１】特開平１−１８７２４４号公報
【発明の開示】
【発明が解決しようとする課題】
【０００６】
しかし、この瓦屋根の構造は、コンクリート製の建築物等における屋上と同じように、屋根上を有効に利用するということを主眼としたものであるため、十分な利用が図られていない。すなわち、この瓦屋根の構造においては、先に葺いている瓦と、この瓦を覆う覆瓦（覆体）との間に形成されている空間、および覆瓦（覆体）自体が十分に利用されていないと言える。
本発明は、このような課題に対処して創作したものであって、その目的とする処は、瓦屋根の瓦の凹凸、段差を覆体で修正した瓦屋根の構造において、該覆体と、該覆体と瓦との間に形成されている空間を有効に利用した瓦屋根の構造を提供することにある。
【課題を解決するための手段】
【０００７】
そして、上記課題を解決するための手段としての第１の発明に係る瓦屋根の構造は、瓦の上方に、該瓦自体の表面凹凸、または／および隣接する瓦間に形成される段差を修正する覆体を設け、該覆体の少なくとも一部を保水性材料で形成すると共に、該覆体を形成する該保水性材料で形成されている部分が、芝生等の植物を植生する植生体を形成してなることを特徴とする。
第２の発明に係る瓦屋根の構造は、前記第１の発明において、前記植生体の下方に、該植生体に水分を供給するための水タンクを設けてなることを特徴とする。
更に、第３の発明に係る瓦屋根の構造は、前記第１、第２の発明において、前記瓦が、一条若しくは複数条の山部と谷部を備え、該山部に前記覆体を係止する覆体係止用突起部を設けていることを特徴とする。
また、第４の発明に係る瓦屋根の構造は、第１〜第３の発明において、前記覆体の周縁部に緩衝部材を設けてなることを特徴とする。
【０００８】
ここで、前記瓦は、桟瓦、波状瓦、その他の各種の瓦を含み、また和瓦、洋瓦のいずれでもよい。また、該瓦としては、その強度性の観点から、セメント瓦（コンクリート瓦）が好ましいが粘土瓦でもよい。前記覆体は、板状のものが好ましい。然し、瓦の表面の凹凸や段差に適応する形態（例えば、断面、逆台形、逆三角形等）でもよい。また、前記保水性材料としては、高分子ポリマー、軽石等を用いることができる。前記緩衝部材としては、天然あるいは合成ゴム、その他、緩衝性を備えた材料を用いることができる。
【０００９】
本発明の瓦屋根の構造は、屋根に瓦を葺いた状態において、その上面に覆体を葺くことにより、該覆体で瓦自体の表面凹凸や、隣接する瓦間の重ね合わせ部分の段差部分が覆われ、瓦屋根を平坦状、平面状にすることができ、流水は、瓦と覆体とが形成する空間をも流れる。
そして、覆体の少なくとも一部を保水性材料で形成すると共に、該覆体を形成する保水性材料で形成されている部分が、芝生等の植物を植生する植生体を形成してなるものにあっては、瓦屋根の表面を植物栽培用の個所として有効活用できる。
【発明の効果】
【００１０】
以上の記載より明らかなように、本発明に係る瓦屋根の構造によれば、覆体の少なくとも一部を保水性材料で形成すると共に、該覆体を形成する保水性材料で形成されている部分が、芝生等の植物を植生する植生体を形成してなるので、覆体を交換することで、簡単に屋根上に、植物栽培するための用地を確保することができるという効果を有する。また、前記植生体の下方に、該植生体に水分を供給するための水タンクを設けてなる場合は、いっそう良好な植物栽培するための用地を得ることができる。
また、前記瓦が、一条若しくは複数条の山部と谷部を備え、該山部に覆体を係止する覆体係止用突起部を設けている場合は、覆体を正確に取り付けることができると共に、平坦状、あるいは平面状屋根を容易に得ることができる。また前記覆体の周縁部に緩衝部材を設けてなる場合、覆体がずれたりして、瓦に不必要な荷重がかかるのを防止できる。
【発明を実施するための最良の形態】
【００１１】
以下、図面を参照しながら、本発明を具体化した好ましい実施の形態について説明する。ここに、図１〜図６は、本発明の実施形態を示し、図１は瓦屋根の斜視図、図２は平面図、図３は瓦の斜視図、図４は覆体の斜視図、図５はソーラー体として利用した場合の断面図、図６は植生体として利用した場合の断面図である。
【００１２】
−実施形態１−
本実施形態の瓦屋根の構造は、図１〜図５に示すように、ソーラー体として利用した場合の実施形態で、瓦１として、二条の谷部２と二条の山部３を備えたセメント瓦（コンクリート瓦）を葺いた瓦屋根について、具体化した実施形態である。建築物において、その屋根の野路板上に、瓦１，１・・を葺くことで、瓦葺き屋根を得ることができる。そして、該瓦葺き屋根は、その表面が、複数枚の瓦１・・の表面形状である凹凸（谷部２と山部３）模様を有する。この凹部を形成する谷部２を山部３の頂点の高さに揃えるための覆体４を葺くことで、瓦屋根の全表面を平坦状にできる。
【００１３】
ここで、瓦１としては、本発明者が先に提案している特公平７−９９０４２号公報に示している緩勾配瓦を用いている。この瓦１は、瓦頭部５の先端に下方向に向かって直線もしくは逆アール状に傾斜する傾斜部６を備えた水垂れ部７を備えている。この瓦の場合、傾斜部のエジェクタ効果によって、流水を積極的に下側に位置する瓦に送り出しているため、瓦を緩勾配に葺くことができる。そして、本実施形態においては、この瓦１の山部３に、図３に示すように、覆体係止用突起部８を設けている。
【００１４】
覆体４は、野路板上に瓦１，１・・・を葺いた状態において、棟側に位置する瓦１ａと、軒側に位置する瓦１ｂとの重なり合う段差部９を上面より覆うとともに、瓦１ａ，１ｂのそれぞれの凹凸（山部３と谷部２との段差）を平面状に修正するためのものであって、図４に示すように、表面が平面形状で、底面が瓦１の一条の谷部２を覆う板部１０を有し、かつ平面視が、板部１０の瓦頭部方向・尻部方向に突出する突出部１１，１１を有し、また左右方向に突出する突出部１２，１２を有している。また覆体４の長さは、野路板に葺いている瓦１の長さと略同一長さで、一枚の瓦１を二枚の覆体４でもって覆う構成としている。そして、瓦谷部２と覆体４との間に空間１４が形成してある。
【００１５】
ここで、覆体４は、透明体からなり、図５に示すように、その下方に光電素子からなるソーラー体１３が設けてある。該透明体は、ガラス瓦（板）、ポリカーボネート板、アクリル板等の強度を有している。またソーラー体１３は、太陽熱集熱体や光電素子等の太陽のエネルギー（熱エネルギー、光エネルギー、紫外線等の各種のエネルギー）を利用することができる器具、装置、素子等からなる。そして、ソーラー体１３の接続部は、図示していないが、通常、瓦屋根の棟に沿って配置している。
【００１６】
そして、野地板に葺いた瓦１，１・・・の谷部２を覆うようにして覆体４を葺き、瓦１ａ、１ｂが形成する段差部９を修正すると共に、覆体４の左右端部の突出部１２，１２は、隣接する覆体４の左右端部の突出部１２，１２と、突出部１１は、隣接する上下方向の覆体４の突出部１１とそれぞれ平面状に接合状態となっていて、瓦１，１・・・の山部３の上に設けている覆体係止用突起部８の上面が表出している。また、覆体４の下方には、ソーラー体１３を配設するようにしている。
【００１７】
このように、本実施形態の瓦屋根の構造は、瓦１と覆体４との間に形成される空間１４にソーラー体１３を配置するので、ソーラー体１３の設置・施工が簡単に行え、また後付け施工も容易にできる。また、瓦屋根の上面が平坦状のまま維持できるので、瓦屋根の外観形態を損なうことがない。また、雨水の流水は、瓦屋根の上と、空間１４を通じて流下するので、瓦屋根の上面に流水が溜まったりするのを防止できる。また、ソーラー体１３が空間１４に組み込まれているので、このソーラー体１３は、風等による影響がないことから、従来の施工のものと異なり、このソーラー体１３が倒れる危険性がなく、瓦屋根が損傷するおそれも解消できる。なお、ソーラー体１３は、覆体４の内部に一体的に組み込まれた構成としてもよい。この場合は、いっそう施工性が良好になる。
【００１８】
−実施形態２−
前述した実施形態１の場合、ソーラー体を設けた構成からなるのに対して、本実施形態は、図６に示すように、覆体４を植生体とした構成からなる。すなわち、覆体４の少なくとも一部が保水性材料で形成されていて、覆体４を形成する保水性材料で形成されている部分が、芝生等の植物を植生する植生体２０を形成する構成としている。そして、この植生体２０の下方に、植生体２０に水分を供給するための水タンク２１を設け、植生体２０と水タンク２１は、布等による毛細管現象を利用した水吸い上げ体２２で繋げている。そして、覆体４の表面である、植生体２０には芝生等の植物を植生できる。ここで、前記保水性材料としては、高分子ポリマー、軽石等を用いている。
このように、本実施形態の瓦屋根の構造では、瓦屋根上を植物成育のための畑地として有効活用することができる。なお、覆体４の周縁には、覆体４を正確に、かつガタ付かないように葺くために、緩衝部材が配してある。緩衝部材としては、ゴムその他の合成樹脂製弾性材が用いてある。この点については、前述した実施形態１においても同様に、緩衝部材を用いることが好ましい。
【００１９】
なお、本発明は前述した実施形態に限定されるものでなく、種々、変形実施できるものを含む。因に、前述した実施形態においては、覆体と下側に葺いた瓦とにより、その屋根表面を全体として平面・平坦状にした構成で説明したが、この構成に限られるものでなく、覆体を、下側に葺いた瓦と瓦の重ね合せ部上にのみ配置した構成等としたり、あるいは、全体としてエンボス状等とした構成等してもよいことは明らかである。また、瓦、あるいは覆体自体に手すり等を配設できるようにした構成のものを使用するようにしてもよい。
【００２０】
ところで、瓦１、あるいは覆体４に手摺りやポール、その他の構造体２５を配設する構成としては、図７に示すように、瓦（覆体）の一部の肉厚を厚くすると共に、この肉厚部分に孔２６を設ける一方、瓦１を葺くための野地板や垂木等の支持体２７から、構造体２５を貫通・立設する構成が好ましい。なお、孔２６と構造体２５との間には、雨漏れ防止のため、コーキング２８を配することが肝要である。
【図面の簡単な説明】
【００２１】
【図１】本発明の実施形態を示す瓦屋根の斜視図である。
【図２】平面図である。
【図３】瓦の斜視図である。
【図４】覆体の斜視図である。
【図５】ソーラー体として利用した場合の断面図である。
【図６】植生体として利用した場合の断面図である。
【図７】手摺りを取り付ける場合の説明図である。
【符号の説明】
【００２２】
１・・・瓦、２・・・谷部、３・・・山部、４・・・覆体、５・・・瓦頭部、６・・・傾斜部、７・・・水垂れ部、８・・・覆体係止用突起部、９・・・段差部、１０・・・板部、１１・・・瓦頭部方向・尻部方向に突出する突出部、１２・・・左右方向に突出する突出部、１３・・・ソーラー体、１４・・・空間、２０・・・植生体、２１・・・水タンク、２２・・・水吸い上げ体、２５・・・手摺り等の構造体、２６・・・孔、２７・・・支持体、２８・・・コーキング